(57)【要約】【課題】  アルミニウム材の加工においても容易に溶着を生じることがなく、工具寿命の延長を図ることが可能なソリッドエンドミルを提供する。【解決手段】  軸線Ｏ回りに回転される略円柱状の工具本体１１の外周に切屑排出溝１３が形成され、この切屑排出溝１３の工具回転方向Ｔを向いてすくい面１４とされる壁面の外周側辺稜部に切刃１６が形成されてなるソリッドエンドミルにおいて、すくい面１４の切刃１６から内周側に離間した位置から切屑排出溝１３の溝底部１９に至るまでの間に、すくい面１４の切刃１６側に連なる部分２０に対して隆起する凸部２１を形成する。【選択図】        図４
2005040947.tif 000002
【特許請求の範囲】
【請求項１】
軸線回りに回転される略円柱状の工具本体の外周に切屑排出溝が形成され、この切屑排出溝の工具回転方向を向いてすくい面とされる壁面の外周側辺稜部に切刃が形成されてなるソリッドエンドミルにおいて、上記すくい面には、上記切刃から内周側に離間した位置から上記切屑排出溝の溝底部に至るまでの間に、該すくい面の上記切刃側に連なる部分に対して隆起する凸部が形成されていることを特徴とするソリッドエンドミル。
【請求項２】
上記凸部は、上記切屑排出溝の溝底部または上記すくい面の該溝底部に連なる部分に対しても凸となるように形成されていることを特徴とする請求項１に記載のソリッドエンドミル。
【請求項３】
軸線回りに回転される略円柱状の工具本体の外周に切屑排出溝が形成され、この切屑排出溝の工具回転方向を向いてすくい面とされる壁面の外周側辺稜部に切刃が形成されてなるエンドミルにおいて、上記すくい面には、上記切刃から内周側に離間した位置に、該すくい面の上記切刃側に連なる部分に対して凹む凹部が形成されていることを特徴とするソリッドエンドミル。
【発明の詳細な説明】
【技術分野】
【０００１】
本発明は、工具本体の外周に形成された切屑排出溝の外周側辺稜部に切刃が一体に形成され、加工物の溝削りや肩削りに使用されるソリッドエンドミルに関するものである。
【背景技術】
【０００２】
図１１は、従来のこの種のソリッドエンドミルにおける工具本体１の軸線Ｏに直交する断面を示すものである。この図１１に示すソリッドエンドミルは、いわゆる４枚刃のものであって、軸線Ｏを中心とする略円柱状の工具本体１の外周に４条の切屑排出溝２…が周方向に等間隔に形成され、各切屑排出溝２の工具回転方向Ｔ側を向く壁面がすくい面３とされて、このすくい面３の外周側辺稜部、すなわち該すくい面３とすくい面３に交差して工具外周側を向く逃げ面４との交差稜線部に、切刃５が形成されている。
【０００３】
ここで、上記すくい面３は、図１１に示すように凹曲面を描きつつ工具内周側に向けて延びて、切屑排出溝２の溝底部６、すなわち該切屑排出溝２が軸線Ｏに対する径方向において最も工具内周側に凹んで工具本体１の心厚円Ｒに接する位置に達するように形成されている。さらに、切屑排出溝２の底面はこの溝底部６から工具回転方向Ｔ側に向かうに従い工具外周側に延びて、上記すくい面３が連なる切刃５の工具回転方向Ｔ側の次の切刃５の上記逃げ面４に連なっている。なお、この切屑排出溝２は一般に工具本体１の後端側に向かうに従い工具回転方向Ｔの後方側に向けて捩れるように形成されており、これに伴い切刃５も軸線Ｏを中心とした螺旋状に形成されることとなる。
【発明の開示】
【発明が解決しようとする課題】
【０００４】
ところで、このように形成されたソリッドエンドミルにおいて、切削加工時に上記切刃５によって生成される切屑Ｃは、図１１に示すように凹曲面状のすくい面３に沿って該すくい面３の全面に摺接しつつ上記溝底部６に達し、その間に丸め込まれて切屑排出溝２から排出される。ところが、例えば加工物がアルミニウム材などの場合には、このように切屑Ｃがすくい面３の全面に亙って摺接しつつ擦過して流出すると、その摩擦熱によってすくい面３に溶着が発生し易くなってしまい、工具寿命を著しく損なうおそれが生じる。
【０００５】
本発明は、このような背景の下になされたもので、たとえアルミニウム材の加工においても容易に溶着を生じることがなく、工具寿命の延長を図ることが可能なソリッドエンドミルを提供することを目的としている。
【課題を解決するための手段】
【０００６】
上記課題を解決して、このような目的を達成するために、本発明は、軸線回りに回転される略円柱状の工具本体の外周に切屑排出溝が形成され、この切屑排出溝の工具回転方向を向いてすくい面とされる壁面の外周側辺稜部に切刃が形成されてなるソリッドエンドミルにおいて、第１に、上記すくい面の切刃から内周側に離間した位置から切屑排出溝の溝底部に至るまでの間に、該すくい面の上記切刃側に連なる部分に対して隆起する凸部を形成したことを特徴とし、また第２に、上記すくい面の上記切刃から内周側に離間した位置に、該すくい面の上記切刃側に連なる部分に対して凹む凹部を形成したことを特徴とする。
【０００７】
従って、上記第１のソリッドエンドミルでは上記すくい面に形成された凸部に切屑が乗り上げることにより、また第２のソリッドエンドミルではすくい面に形成された凹部上を切屑が通過することにより、いずれの場合にも切屑とすくい面との間に間隙が画成されるので、切屑の擦過による摩擦熱を抑えることができ、これによって溶着の発生を防止することが可能となる。なお、上記第１のソリッドエンドミルにおいては、上記凸部を、上記切屑排出溝の溝底部または上記すくい面の該溝底部に連なる部分に対しても凸となるように形成することにより、凸部と溝底部との間でもすくい面と切屑との間に間隙を画成することができ、摩擦熱の発生を一層確実に抑制することができる。
【発明の効果】
【０００８】
以上説明したように、本発明によれば、すくい面の切刃から内周側に離間した位置から切屑排出溝の溝底部に至るまでの間に、すくい面の切刃側に連なる部分に対して隆起する凸部を形成したり、あるいは逆にすくい面の切刃側に連なる部分に対して凹む凹部を形成したりすることにより、切刃によって生成される切屑とすくい面との間に間隙を画成することができ、これにより切屑がすくい面と摺接することによる摩擦熱を抑えることができる。従って、加工物がアルミニウム材のようなものであっても、かかる摩擦熱によって溶着が発生したりするのを防止することができ、工具寿命の延長を図ることが可能となる。
【発明を実施するための最良の形態】
【０００９】
図１ないし図４は、本発明の請求項１および２に係る第１の実施形態を示すものである。本実施形態において工具本体１１は超硬合金等の硬質材料により略円柱状に形成されてなり、その後端部はシャンク部１２とされるとともに、先端部の外周には、この工具本体１１の先端から後端側に向かうに従い工具本体１１の軸線Ｏを中心に工具回転方向Ｔの後方側に捩れる４条の切屑排出溝１３…が周方向に等間隔に形成されている。
【００１０】
そして、各切屑排出溝１３の工具回転方向Ｔ側を向く壁面はすくい面１４とされていて、その外周側辺稜部、すなわちこのすくい面１４と該すくい面１４に連なる逃げ面１５との交差稜線部に、軸線Ｏ回りに螺旋状に捩れるように切刃１６が形成されている。なお、上記各切屑排出溝１３の先端部には、上記すくい面１４と、このすくい面に交差する工具本体１１の先端逃げ面１７との交差稜線部に、図２に示すように軸線Ｏからその径方向に沿って工具外周側に延びるように底刃１８が形成されている。
【００１１】
ここで、上記切屑排出溝１３は、軸線Ｏに直交する断面において図３に示すように、その溝底部１９が軸線Ｏを中心とする凸円弧状をなすように形成されており、これよりも工具回転方向Ｔ側で切屑排出溝１３の底面は工具外周側に向けて延びて、次の切刃１６の上記逃げ面１５に連なっている。そして、これに対してこの溝底部１９よりも工具回転方向Ｔの後方側に連なる上記すくい面１４は、その工具外周側の切刃１６に連なる部分が従来と同様に凹曲面状に形成された凹曲部２０とされる一方、この凹曲部２０と上記溝底部１９との間の切刃１６から工具内周側に離間した部分は、該凹曲部２０を延長して溝底部１９に滑らかに連続させた場合のすくい面１４の仮想断面（従来のエンドミルのすくい面の断面）Ｌに対して凸となるように形成されており、上記凹曲部２０に対して隆起する凸部２１とされている。なお、図３に符号Ｒで示すのは上記溝底部１９が形成される工具本体１１の心厚円である。
【００１２】
本実施形態では、この凸部２１は、軸線Ｏに直交する断面が略全体的に曲率半径の大きな凸曲面状をなしており、上記溝底部１９側では該溝底部１９に屈曲して交差させられて、この溝底部１９に対しても凸となるように形成されているとともに、すくい面１４の凹曲部２０側では曲折させられて極僅かに凹曲し、該凹曲部２０に滑らかに連続させられている。なお、溝底部１９側でも凹曲して該溝底部１９に滑らかに連続させられていてもよい。しかして、本実施形態ではこのような凸部２１が、上記底刃１８の近傍を除いて切屑排出溝１３の全長に亙って図３に示すような断面形状を維持するように、すなわち切刃１６に沿って螺旋状に捩れる突条をすくい面１４上に形成するように延設されている。
【００１３】
しかるに、このように構成されたソリッドエンドミルにおいて、切削加工時に切刃１６によって生成される切屑Ｃは、図４に示すように切刃１６側からすくい面１４に沿って溝底部１９に流れ出る途中で上記凸部２１に乗り上げ、さらにこの凸部２１を乗り越えるようにして溝底部１９に至る。従って、このとき切屑Ｃとすくい面１４との間には、切屑Ｃが凸部２１に乗り上げることによって間隙Ｇが画成され、これにより、切屑Ｃがすくい面１４に密着して摺接しつつ擦過することによる摩擦熱の発生が抑制される。このため、上記構成のソリッドエンドミルによれば、たとえ加工物がアルミニウム材などであっても、かかる摩擦熱によってすくい面１４上に溶着が生じるのを防ぐことができ、このような溶着によって工具寿命が著しく短縮されるのを防止して長期に亙って安定した切削加工を促すことが可能となる。
【００１４】
また、本実施形態のソリッドエンドミルでは、上記凸部２１は切屑排出溝１３の溝底部１９に対しても屈曲するように交差して凸となるように形成されているので、凸部２１に乗り上げた切屑Ｃが溝底部１９に至る間でも切屑Ｃとすくい面１４との間には間隙Ｇが画成され、これによりこの凸部２１から溝底部１９までの間でも摩擦熱の発生を抑えることができる。従って、この第１の実施形態のソリッドエンドミルによれば、すくい面１４における溶着の発生をより確実に防止することができ、一層の工具寿命の延長を図ることができる。
【００１５】
しかも、本実施形態のソリッドエンドミルでは、このように切屑Ｃとすくい面１４との間に間隙Ｇ，Ｇが画成されて切屑Ｃのすくい面１４への接触が抑えられることにより、切屑Ｃがすくい面１４を擦過することによる抵抗も抑制されるので、切削加工時の工具本体１１の回転駆動力の低減を図ることも可能となる。また、このように間隙Ｇが画成されることにより、例えば切削加工時に切削油剤を供給する湿式切削の場合などに、上記間隙Ｇを介して切削油剤を確実に切刃１６の近傍に供給することが可能となり、このためさらに確実に摩擦熱の発生を抑えて溶着の防止を図ることができる。さらに本実施形態では、このように凸部２１を乗り越えるように切屑Ｃが流出することとなるため、従来のように凹曲面状のすくい面に沿って切屑が流出する場合に比べて切屑Ｃの流れを直線的にして滑らかにすることができ、切屑排出性の向上を図ることができるという効果も得られる。
【００１６】
なお、本実施形態では、工具本体１１の先端部に４条の切屑排出溝１３…が形成されて、それぞれのすくい面１４とされる上記壁面の工具外周側辺稜部に切刃１６が形成された、いわゆる４枚刃のソリッドエンドミルに本発明を適用した場合について説明したが、切刃１６の数は２、３、５、６など４枚刃以外であっても勿論構わない。また、本実施形態では上記凸部２１が切刃１６に沿ってすくい面１４上に突条をなすように軸線Ｏ方向に連続して形成されているが、切刃１６によって生成される切屑Ｃは該切刃１６に沿ってある程度の幅をもってすくい面１４に流出するので、上記凸部２１は切刃１６に沿って軸線Ｏ方向に点在するように形成されていてもよい。
【００１７】
次に、図５ないし図９は、この第１の実施形態の変形例をそれぞれ示すものであり、図１ないし図４に示した第１の実施形態と共通する部分には同一の符号を配して説明を省略する。なお、これらの変形例では切屑排出溝１３の溝底部１９は、図９に示す変形例を除いて図１１に示した従来のソリッドエンドミルと同様に、すくい面１４の上記凹曲部２０の延長面に滑らかに連続する凹曲面状をなしており、工具本体１１の上記心厚円Ｒに接するように形成されている。
【００１８】
しかるに、まず図５に示す変形例では、上記すくい面１４の切刃１６から工具内周側に離間した位置から上記溝底部１９に至るまでの間に、軸線Ｏに直交する断面において上記第１の実施形態よりも曲率半径の小さな凸曲面をなす凸部２２が形成されており、この凸部２２はすくい面１４の切刃１６側の凹曲部２０と溝底部１９側とに屈曲して交差するようにされている。また、図６に示す変形例では、断面三角形状をなす凸部２３がその一の角部をすくい面１４から突き出すように形成されており、図７に示す変形例では、すくい面１４から突出するに従い漸次幅狭となる断面略等脚台形状をなす凸部２４が形成されている。さらに、図８に示す変形例では、すくい面１４に形成された凸部２５が、軸線Ｏに直交する断面においてその突端部２５ａから切刃１６側と溝底部１９側とに向けて凹曲しつつすくい面１４に滑らかに連なるように形成されている。
【００１９】
一方、図９に示す変形例では、切屑排出溝１３の溝底部２６が軸線Ｏに直交する断面において工具本体１１の心厚円Ｒに接する略平面状をなすように形成されており、この溝底部２６が切刃１６側において凸状に曲折してすくい面１４の凹曲部２０に連なることにより、この曲折した部分によって凸部２７が形成されている。しかるに、このように構成された変形例のソリッドエンドミルにおいても、上記第１の実施形態と同様の効果を得ることができる上、図５、図６、および図８に示した変形例では、切屑と凸部２２，２３，２５との接触面積もより小さく抑えることができるので、摩擦熱を発生をさらに小さく抑えてより一層確実に溶着を防止することが可能となる。また、図７や図９に示した変形例では、断面台形状の凸部２４の突端の平面部２４ａや凸部２７に連なる断面平面状の溝底部２６により、切屑を安定して所定の方向に案内してより円滑に排出することができるという利点が得られる。
【００２０】
次に、図１０は本発明の請求項３に係わる第２の実施形態を示すものであり、上記第１の実施形態と共通する部分にはやはり同一の符号を配して説明を省略する。すなわち、上記第１の実施形態およびその変形例では、切刃１６によって生成された切屑とすくい面１４との間に間隙Ｇを画成するのに、該すくい面１４上に凸部２１〜２５，２７を形成して、これに切屑が乗り上げることにより間隙Ｇが画成されるようにしているが、この第２の実施形態では、すくい面１４の切刃１６から工具内周側に離間した位置に、切刃１６に連なる上記凹曲部２０に対して凹む凹部２８を形成し、この凹部２８によって切屑との間に間隙が画成されるようになされている。
【００２１】
ここで、この第２の実施形態の上記凹部２８は、軸線Ｏに直交する断面において凹曲部２０よりも曲率半径の小さな凹円弧等の凹曲面状をなすように形成されており、すくい面１４の切刃１６側の凹曲部２０と溝底部１９側とに鈍角に屈曲して交差させられている。しかるに、本実施形態ではこのような断面形状の凹部２８が、第１の実施形態の凸部２１と同様に底刃１８の近傍を除いて切屑排出溝１３の全長に亙って図１０に示すような断面形状を維持するように、すなわち切刃１６に沿って螺旋状に捩れる凹溝をすくい面１４上に形成するように延設されている。従って、このように構成されたソリッドエンドミルにおいても、上記凹部２８によって切屑とすくい面１４との間に間隙が画成されるので、摩擦熱の発生を抑えて溶着を防止することが可能となる。
【００２２】
なお、この第２の実施形態においては上述のように凹部２８を断面凹曲面状に形成しているが、例えばすくい面１４側に開口する断面が偏平した「コ」字状やＶ字状に形成したりしたりしてもよい。また、このような凹部２８内に、上記第１の実施形態の変形例のような凸部２２〜２５を形成したり、あるいは凹部２８の溝底部１９側に隣接して凸部２１〜２６を形成したりするようにしてもよい。さらに、上記第１の実施形態やその変形例および上記第２の実施形態では、すくい面１４の切刃１６側に凹曲部２０が切刃１６に連なるように形成されているが、このすくい面１４の切刃１６側は軸線Ｏに直交する断面において平面状をなすように形成されていたりしてもよい。
【００２３】
一方、これら第１の実施形態およびその変形例と上記第２の実施形態とでは、その工具本体１のシャンク部２が形成される工具後端側から見て切削時の工具回転方向Ｔが右回り方向とされていて、すなわち駆動側から見て右回りに切削を行う、いわゆる右刃のエンドミルの構成とされるとともに、切屑排出溝１３や切刃１６が右ねじの捩れ方向に捩れた、いわゆる右捩れの構成とされているが、本発明は、これ以外の右刃左捩れ、左刃左捩れ、左刃左捩れのソリッドエンドミルに適用することも勿論可能であるし、さらには切屑排出溝や切刃が捩れていない、いわゆる直刃のエンドミルにも適用可能である。また、上記第１、第２の実施形態や変形例では、図１や図２に示されるように上記切刃１６と底刃１８とが角形のコーナをもつ、いわゆるスクエアエンドミルに本発明を適用した場合について説明したが、本発明は、外周刃とされる切刃１６がテーパをもつ、いわゆるテーパエンドミルや、球状の底刃をもつボールエンドミル、あるいは丸コーナをもつラジアスエンドミルなどにも適用可能である。
【図面の簡単な説明】
【００２４】
【図１】本発明の第１の実施形態を示す側面図である。
【図２】図１に示す実施形態の工具先端側からの正面図である。
【図３】図１におけるＺＺ断面図である。
【図４】図３に示す断面における切屑Ｃの流出状態を示す図である。
【図５】第１の実施形態の変形例を示す断面図である。
【図６】第１の実施形態の変形例を示す断面図である。
【図７】第１の実施形態の変形例を示す断面図である。
【図８】第１の実施形態の変形例を示す断面図である。
【図９】第１の実施形態の変形例を示す断面図である。
【図１０】本発明の第２の実施形態を示す図１のＺＺ断面に相当する断面図である。
【図１１】従来のソリッドエンドミルを示す断面図である。
【符号の説明】
【００２５】
１１  工具本体
１３  切屑排出溝
１４  すくい面
１６  切刃
１９，２６  溝底部
２０  凹曲部（すくい面１４の切刃１６側に連なる部分）
２１，２２，２３，２４，２５，２７  凸部
２８  凹部
Ｏ  工具本体１１の中心軸線
Ｔ  工具回転方向
Ｒ  工具本体１１の心厚円
Ｃ  切屑
Ｇ  切屑Ｃとすくい面１４との間に画成される間隙
Ｌ  凹曲部２０を延長して溝底部１９に滑らかに連続させた場合のすくい面１４の仮想断面
【図１】
2005040947.tif 000003
【図２】
2005040947.tif 000004
【図３】
2005040947.tif 000005
【図４】
2005040947.tif 000006
【図５】
2005040947.tif 000007
【図６】
2005040947.tif 000008
【図７】
2005040947.tif 000009
【図８】
2005040947.tif 000010
【図９】
2005040947.tif 000011
【図１０】
2005040947.tif 000012
【図１１】
2005040947.tif 000013